(57)【要約】【課題】ＣＩＳの平面視における一方向への傾きを許容し、最も傾いた状態でＣＩＳの長手方向が主走査方向に平行となるように構成することにより、コストダウン及び装置の小型化を実現する。【解決手段】ホルダ４の係合部４Ａの外側にＣＩＳ５の一部５Ａ，５Ａが位置する場合、ＣＩＳ５の一部５Ａ，５Ａの間隔Ｌ１を、主走査方向においてシャフト３が偏っている側（背面側）とは反対側（前面側）を基準に、ホルダ４の係合部４Ａの幅Ｌ２よりも大きくする。即ち、ＣＩＳ５の読取動作が行われる往動時に、ＣＩＳ５に生じる回転によってＣＩＳ５の一部５Ａがホルダ４の係合部４Ａに当接する側を基準に公差を形成した。【選択図】図５
2006091492.tif 000002
【特許請求の範囲】
【請求項１】
原稿台の下面に密着して原稿台の下面に平行に副走査方向に往復移動する密着型画像読取部材と、原稿台の下面に前記副走査方向に平行に配置されたシャフトと、前記シャフトに外嵌するとともに前記密着型画像読取部材の一部を係合部に係合させて揺動自在に支持するホルダと、前記ホルダに支持された前記密着型画像読取部材に原稿台に向う方向の弾性力を作用させるスプリングと、を備え、
前記原稿台の下面に対する前記密着型画像読取部材の副走査方向に直交する主走査方向の両端における圧接力に差異を与え、
前記ホルダの係合部における前記密着型画像読取部材の一部に対する公差を主走査方向における一方を基準として形成したことを特徴とする画像読取装置。
【請求項２】
前記シャフトを主走査方向における中央部よりも何れか一方向に偏った位置に配置したことを特徴とする請求項１に記載の画像読取装置。
【発明の詳細な説明】
【技術分野】
【０００１】
この発明は、複写機やファクシミリ装置に用いられ、原稿載置台に載置された原稿に対して、密着型画像読取部材（以下、ＣＩＳという。）を含む読取ユニットを走査させて原稿の画像を読み取る画像読取装置に関する。
【背景技術】
【０００２】
複写機やファクシミリ装置に用いられる画像読取装置は、従来より、画像読取部材としてＣＣＤを備えていた。このような画像読取装置では、原稿台に載置された原稿画の画像面からＣＣＤに至る間に縮小光学系を配置し、光源の光の原稿の画像面における反射光を縮小光学系を経由してＣＣＤに配光している。
【０００３】
このため、画像読取部材としてＣＣＤを備えた画像形成装置では、原稿台の下方に縮小光学系を配置するため、及び、原稿台の下面に平行に光路長を変化させることなく往復移動させるための充分なスペースが必要になり、画像読取装置の小型化に適さない問題がある。
【０００４】
そこで、従来より、画像読取部材としてＣＩＳを備えた画像読取装置が製品化されている。ＣＩＳは、原稿台の下面に密着して所定範囲内で往復移動する。この所定範囲は、少なくとも原稿台上に載置された原稿の画像面の前面に対向する範囲である。ＣＩＳは、原稿の画像を等倍率で読み取る。
【０００５】
このため、従来のＣＩＳを備えた画像読取装置では、図１に示すように、図中Ｙ−Ｙ′方向の走査方向（副走査方向）に直交する主走査方向について原稿台の長さに略匹敵する長さのＣＩＳ１００を、副走査方向を長手方向としたシャフト１０１に案内させて副走査方向に移動させる。
【０００６】
シャフト１０１にはホルダ１０２が外嵌しており、このホルダ１０２にＣＩＳ１００を搭載している。ＣＩＳ１００は、主走査方向の軸１０３周りに揺動自在であるとともに、スプリング１０４によって原稿台１０５に圧接する方向に付勢されている。
【０００７】
ＣＩＳ１００は、原稿台１０５の下面に密着させてできるだけ円滑に移動させる必要がある。そこで、従来の画像読取装置では、シャフト１０１を主走査方向の中央部に配置し、ＣＩＳの両端部に作用する摩擦抵抗を均一化して、安定した移動を実現できるようにされている（例えば、特許文献１参照。）。
【特許文献１】特開平１０−２８５３８７号公報
【発明の開示】
【発明が解決しようとする課題】
【０００８】
しかしながら、ＣＩＳは、等倍率で原稿の画像を読み取るため、取付時の誤差や部品の寸法精度等の影響によって移動にガタつきを生じると、読取画像に与える影響が大きい。このため、ホルダ１０２の副走査方向の長さ、及び、軸１０３方向の主走査方向の長さや軸１０３の長さをできるだけ長くするとともに、スプリング１０４の有効長を長くし、取付時の誤差や部品の寸法精度等の影響によるＣＩＳ１００の移動のガタつきを防止するようにしている。このため、従来のＣＩＳを用いた画像読取装置では、ＣＩＳ自体が小型であるにも拘らず、その特性を活かすことができず、充分な小型化を実現することができない問題があった。
【０００９】
この発明の目的は、ＣＩＳの平面視における一方向への傾きを許容し、最も傾いた状態でＣＩＳの長手方向が主走査方向に平行となるように構成することにより、コストダウン及び装置の小型化を実現することができる画像読取装置を提供することにある。
【課題を解決するための手段】
【００１０】
上記の課題を解決するための手段として、この発明の画像読取装置は、以下の構成を備えたものである。
【００１１】
（１）原稿台の下面に密着して原稿台の下面に平行に副走査方向に往復移動するＣＩＳと、原稿台の下面に前記副走査方向に平行に配置されたシャフトと、前記シャフトに外嵌するとともに前記ＣＩＳの一部を係合部に係合させて揺動自在に支持するホルダと、前記ホルダに支持された前記ＣＩＳに原稿台に向う方向の弾性力を作用させるスプリングと、を備え、
前記原稿台の下面に対する前記ＣＩＳの副走査方向に直交する主走査方向の両端における圧接力に差異を与え、
前記ホルダの係合部における前記ＣＩＳの一部に対する公差を主走査方向における一方を基準として形成したことを特徴とする。
【００１２】
この構成においては、ＣＩＳの主走査方向の両端部における原稿台の下面に対する圧接力に差異が与えられ、ＣＩＳが副走査方向に移動すると、ＣＩＳが平面視において回転を生じる。ＣＩＳの一部が係合するホルダの係合部には、ＣＩＳの一部に対して主走査方向の一方を基準として公差が与えられる。したがって、ＣＩＳが副走査方向に移動する際に、ＣＩＳに生じる回転によってＣＩＳの一部がホルダの係合部における公差の基準となる側に当接し、シャフトに対してＣＩＳが直交する状態となる。
【００１３】
（２）前記シャフトを主走査方向における中央部よりも何れか一方向に偏った位置に配置したことを特徴とする。
【００１４】
この構成においては、ＣＩＳの一端側に偏った位置にシャフトが配置される。したがって、ＣＩＳの両端部における原稿台に対する圧接力に差異が生じる。
【発明の効果】
【００１５】
この発明によれば、ＣＩＳの両端部における原稿台に対する圧接力に差異を生じさせることにより、ＣＩＳの副走査方向の移動時にＣＩＳを平面視においてホルダに対して回転させてＣＩＳの一部をホルダの係合部における公差の基準となる側に当接させることにより、シャフトに対してＣＩＳを直交する状態にすることができ、ＣＩＳの平面視における一方向への傾きを許容し、最も傾いた状態でＣＩＳの長手方向が主走査方向に平行となるように構成することにより、コストダウン及び装置の小型化を実現することができる。
【発明を実施するための最良の形態】
【００１６】
以下に、この発明の最良の実施形態に係る画像形成装置を図面を参照しつつ詳細に説明する。
【００１７】
図２〜４は、この発明の実施形態に係る画像読取装置の要部の構成を示す平面図、正面図及び側面図である。画像読取装置１は、強化ガラスからなる原稿台２の下方に副走査方向に平行なシャフト３を備え、このシャフト３にホルダ４の軸受部４Ｂを外嵌させ、ホルダ４にＣＩＳ５を搭載して構成されている。
【００１８】
ホルダ４において、係合部４ＡにＣＩＳ５の一部５Ａ，５Ａが係合している。係合部４Ａは、ＣＩＳ５の一部５Ａを軸支する軸６を備えている。これによって、ＣＩＳ５はホルダ４において軸６を中心に揺動自在にされている。また、ホルダ４には、スプリング７が備えられている。スプリング７の弾性力は、ＣＩＳ５を原稿台２側に付勢している。
【００１９】
ＣＩＳ５は、図示しない駆動手段及び伝達機構を介して駆動力が伝達され、副走査方向に往復移動する。ＣＩＳ５は、副走査方向の往動時に原稿台２上に載置された原稿の画像を読み取る。
【００２０】
シャフト３は、主走査方向における中央部よりも一方に偏った位置に配置されている。このため、ＣＩＳ５には長手方向の一端側に偏った位置に、スプリング７の弾性力が作用する。このため、ＣＩＳ５の一端側における原稿台２に対する圧接力Ｆ２は、他端側における原稿台２に対する圧接力Ｆ１よりも大きくなる。
【００２１】
原稿台２に対するＣＩＳ５の圧接力は、副走査方向に移動するＣＩＳ５に抵抗力として作用する。したがって、副走査方向に移動するＣＩＳ５には、両端部において互いに異なる抵抗力が作用することになり、ＣＩＳ５は矢印Ｙ方向の往動時に、図２に示すように、平面視において時計方向に回転を生じる。
【００２２】
図５は、上記画像読取装置のホルダの係合部の拡大図である。ホルダ４の係合部４Ａには、ＣＩＳ５の一部５Ａが係合する。このため、ホルダ４の係合部４ＡとＣＩＳ５の一部５Ａとの間には公差が与えられている。図５に示すように、ホルダ４の係合部４Ａの外側にＣＩＳ５の一部５Ａ，５Ａが位置する場合、ＣＩＳ５の一部５Ａ，５Ａの間隔Ｌ１は、ホルダ４の係合部４Ａの幅Ｌ２よりも大きくされている。
【００２３】
そして、この場合の公差は、主走査方向においてシャフト３が偏っている側（背面側）とは反対側（前面側）を基準に形成されている。つまり、ＣＩＳ５の読取動作が行われる往動時に、ＣＩＳ５に生じる回転によってＣＩＳ５の一部５Ａがホルダ４の係合部４Ａに当接する側を基準に公差が形成される。
【００２４】
これによって、ＣＩＳ５の長手方向が、シャフト３の軸方向と直交し、ＣＩＳ５による原稿画像の読取が正確に行われることになる。
【００２５】
なお、シャフト３に外嵌するホルダ４の軸受部４Ｂの肉厚を調整することにより、側面視においてＣＩＳ５に図４中の矢印Ａ方向の回転力を作用させ、ＣＩＳ５の両端部における原稿台２に対する圧接力に差異を与えるようにしてもよい。
【図面の簡単な説明】
【００２６】
【図１】従来の画像読取装置の要部の構成を示す平面図である。
【図２】この発明の実施形態に係る画像読取装置の要部の構成を示す平面図である。
【図３】上記画像読取装置の要部の構成を示す正面図である。
【図４】上記画像読取装置の要部の構成を示す側面図である。
【図５】上記画像読取装置のホルダの係合部の構成を示す拡大平面図である。
【符号の説明】
【００２７】
１  画像読取装置
２  原稿台
３  シャフト
４  ホルダ
４Ａ  係合部
４Ｂ  軸受部
５  ＣＩＳ
５Ａ  一部
【図１】
2006091492.tif 000003
【図２】
2006091492.tif 000004
【図３】
2006091492.tif 000005
【図４】
2006091492.tif 000006
【図５】
2006091492.tif 000007